(57)【要約】【課題】清潔さを保つ為に、直方体の形をしたキッチンスポンジ等の中の水分を出来るだけ速く効率的にはける様にする。【解決手段】直方体のスポンジの少なくとも隣接する３面を囲い、直方体のスポンジの最短辺の4辺の内の一辺、又は８つの角の内の一つの角が最も下に来る様にスポンジを斜めに立てた状態に支持して収納し、且つ、スポンジの最も下に位置する辺、又は角とその周辺が水切りラックの構成部材と一切接触しないようにした水切りラックを作る。そうすると、水分を含んだ直方体のスポンジを置いた時、物理的現象で最も下の一辺、又は一角に向かって水分が一斉に集中する。且つ、スポンジの最も下に来る辺や角が水切りラックの部材と一切接触しない構成なので水はけ、水切れ共に最も効率的で速くなるので清潔で衛生的である。【選択図】  図９
2007289626.tif 000002
【特許請求の範囲】
【請求項１】
直方体のスポンジの少なくとも隣接する３面を囲い、直方体のスポンジの最短辺の４辺の内の一辺、又は８つの角の内の一つの角が最も下に来る様に斜めに立てた状態に支持して収納する前後左右に対称な水切りラックにおいて、下面に四角の開口部を設け、下面の開口部からは直方体のスポンジの最も下にくる辺又は角とその周辺が突出することで、最も下にくる辺又は角とその周辺が水切りラックの構成部材と一切接触しないことを特徴とする水切りラック。
【請求項２】
直方体のスポンジの少なくとも隣接する４面を囲ったことを特徴とする請求項１に記載の水切りラック。
【請求項３】
直方体のスポンジの最も下に来る角と、最も上に来る角を直線で結んだ対角線が水平面に対して７０度から１１０度であることを特徴とする請求項１又は請求項２に記載の水切りラック。
【請求項４】
直方体のスポンジの最も下に来る辺と、その対辺により形成する長方形が水平面に対して７０度から１１０度であることを特徴とする請求項１又は請求項２に記載の水切りラック。
【請求項５】
シンク（流し台）に取り付けるビルトインタイプの水切りラックにおいて、直方体のスポンジの最短辺の４辺の内の一辺、又は８つの角の内の一つの角が最も下に来るように斜めに立てた状態に支持する傾斜面を水切りラックの一端に設け、直方体のスポンジの最も下に来る辺とその周辺が水切りラックの構成部材と一切接触しないことを特徴とするビルトインタイプの水切りラック。
【請求項６】
請求項５に記載のビルトインタイプの水切りラックにおいて、傾斜面の角度が水平面に対して４５度から７５度であることを特徴とするビルトインタイプの水切りラック。
【発明の詳細な説明】
【技術分野】
【０００１】
本発明は、キッチンスポンジ等の水切りラックに関するものである。
【背景技術】
【０００２】
従来のキッチンスポンジ等の水切りラックは、スポンジを寝かせたり、横向きにしたり、立てたりと、様々に置けるようになってはいるが、いずれの場合もスポンジを水切りラックの上に水平（即ち、流し台の面に対して平行）に置くようになっており、単に水切りが出来ればよいというだけのものであって、直方体という特性を生かして効率的に水切りをすると言う観点のものは作られていなかった。又、スポンジの材質にはポリウレタンフォーム、ナイロン不織布、発泡アクリル、ポリエステルフィルム、天然ゴム、形状は直方体のものが多いが、昨今は色々な素材でできた様々な形のスポンジが出回っている。しかし、最も一般的なものは直方体のスポンジである。その様な直方体のスポンジを従来の水切りラックの上に置いても水分のはけが遅かったり、悪かったりして、いつまでもスポンジの中に水分が留まっていて衛生的でなかった。そこで、水切りを効率的に行うようにスポンジを斜めに置く水切りラックが考案されている（実開昭６１−１７４５６７号）。
【０００３】
【特許文献１】実開昭６１−１７４５６７号
【発明の開示】
【発明が解決しようとする課題】
【０００４】
しかし、この水切りラックにおいてはスポンジの最も下の部分が水切りラックの構成部材に接触している為に水切れが悪いと共に、スポンジを水平に近い状態に置くようになっているので水はけも速くないという問題点がある。
【課題を解決するための手段】
【０００５】
本発明の請求項１は、直方体のスポンジの少なくとも隣接する３面を囲い、直方体のスポンジの最短辺の4辺の内の一辺、又は８つの角の内の一つの角が最も下に来る様にスポンジを斜めに立てた状態に支持して収納する前後左右に対称な水切りラックにおいて、下面に四角の開口部を設け、下面の開口部からは直方体のスポンジの最も下にくる辺又は角とその周辺が突出することで、最も下にくる辺、又は角とその周辺が水切りラックの構成部材と一切接触しないようにした水切りラック。
本発明の請求項２は、直方体のスポンジの少なくとも隣接する４面を囲うようにした請求項１に記載の水切りラック。
本発明の請求項３は、直方体のスポンジの最も下に来る角と、最も上に来る角を直線で結んだ対角線が水平面に対して７０度から１１０度である請求項１又は請求項２に記載の水切りラック。
本発明の請求項４は、直方体のスポンジの最も下に来る辺と、その対辺により形成する長方形が水平面に対して７０度から１１０度である請求項１又は請求項２に記載の水切りラック。
本発明の請求項５は、シンク（流し台）に取り付けるビルトインタイプの水切りラックにおいて、直方体のスポンジの最短辺の４辺の内の一辺、又は８つの角の内の一つの角が最も下に来るように斜めに立てた状態に支持する傾斜面を水切りラックの一端に設け、直方体のスポンジの最も下に来る辺とその周辺が水切りラックの構成部材と一切接触しないことを特徴とするビルトインタイプの水切りラック。
本発明の請求項６は、請求項５に記載のビルトインタイプの水切りラックにおいて、傾斜面の角度が水平面に対して４５度から７５度であることを特徴とするビルトインタイプの水切りラック。
【発明の効果】
【０００６】
本発明の水切りラックに直方体のスポンジを置くと、直方体の最短辺の4辺内の一辺、又は８つの角の内の一角が最も下にくるので、スポンジ中の水分が物理的現象で最も下に来る一辺、又は一角に向かって一斉に集中する。更に、スポンジの最も下に来る一辺、又は一角とその周辺が水切りラックの構成部材と一切接触しないので、最も速く効率的に水がはけると共にスポンジの水切れが良くなり衛生的である。又、直方体に限らず様々な形をしたスポンジに対しても水切りラックの保持箇所に傾斜がついていることにより、より効率的に水がはける角度にして立てて置くことが可能になった。又、前後左右に対称な水切りラックであるので、直方体のスポンジを右傾斜、左傾斜どちらからでも斜めに立てることが出来るので使い勝手がよい。且つ、シンプルですっきりしているので清潔を維持しやすくデザイン的にも優れている。
更に、直方体のスポンジの最も下に来る角と、最も上に来る角を直線で結んだ対角線が水平面に対して７０度から１１０度の垂直に近い状態に直方体のスポンジを斜めに立てて収納するので、水はけが最も速くなる。又、直方体のスポンジの最も下に来る辺とその対辺により形成する長方形が水平面に７０度から１１０度の垂直に近い状態に、直方体のスポンジを斜めに立てて収納しても水はけは速くなる。
又、水切りラックをシンク（流し台）内、又はシンクの上部に取り付けると、スポンジから落ちた水は直接排水口に流れこむので、シンク以外の所を水で濡らすことがない。
又、本発明のシンク（流し台）に取り付けるビルトインタイプの水切りラックにおいても、直方体のスポンジを水切りラックに置くと、直方体の最短辺の4辺内の一辺、又は８つの角の内の一角が最も下にくるので、前記記載の水切りラックと同様の効果を得ることが出来る。
更に、傾斜面の角度を４５度から７５度に設定すると、直方体のスポンジの最も下に来る角と、最も上に来る角を直線で結んだ対角線、又は直方体のスポンジの最も下に来る辺と、その対辺により形成する長方形が水平面に対して垂直に近い状態になるので、より効果的に水切りをすることが出来る。
【発明を実施するための最良の形態】
【０００７】
直方体のスポンジの隣接する４面を囲って、直方体のスポンジの最短辺の4辺の内の一辺、又は８つの角の内の一つの角が最も下に来る様にすると共に、直方体のスポンジの対角線、又は直方体のスポンジを構成する面の対角線が水平面に対して垂直に近い状態に斜めに立てて支持して収納し、最も下にくる辺、又は角が水切りラックの構成部材と一切接触しない水切りラック。
【実施例１】
【０００８】
図１〜図７は実施例１の水切りラック１の図である。図８は直方体のスポンジ５の図である。図９は実施例１の水切りラック１に直方体のスポンジ５を収納した図である。
最初に、水切りラック１について説明する。図１〜図７に示す様に水切りラック１は２枚の台形状の板１１、１２と２枚の矩形状の板１３、１４で構成する。台形状の平板１１と台形状の平板１２は平行に配置し、対向する平板１１の斜辺と平板１２の斜辺とを矩形状の平板１３、１４で接合している。この矩形状の板１３、１４は延長すると９０度に交差する。これにより、図７に示すように下部に開口部１５、上部に開口部１６を有し、下部開口部１５より上部開口部１６の方が大きい台形状の収納空間を有する前後左右に対称な水切りラック１を形成する。
次に、直方体のスポンジ５について説明する。図８に示すように６つの長方形の面５１、５２、５３、５４、５５、５６により構成される。直方体のスポンジ５の最短辺の４辺の内、最も下に来る辺を５１１とする。更に、直方体のスポンジ５の最も下にくる角をＡ、最も上にくる角をＣとする。
次に、水切りラック１に直方体のスポンジ５を収納した状態について説明する。図９に示す様に、直方体のスポンジ５の隣接する４面５１、５２、５３、５４を台形状の平板１１、１２と矩形状の平板１３、１４で囲って、直方体のスポンジ５の最短辺の4辺の内の一辺５１１が最も下にくる様に直方体のスポンジ５が収納される。隣接する４面５１、５２、５３、５４の内の２面５２、５３により最短辺の４辺の内の一辺５１１が形成される。最も下にくる辺５１１とその周辺は水切りラック１の構成部材（台形状の板１１、１２、矩形状の板１３，１４）と一切接触しないので効率良く水がはけると共に直方体のスポンジ５の水切れがよくなり衛生的である。更に、最も下にくる辺５１１とその対辺（最も上にくる辺）により形成する長方形が水平線に対して７０度から１１０度、好ましくは８０度から１００度、最も好ましくは９０度であるので、直方体のスポンジ５は斜めに立った状態になる。よって、直方体のスポンジ５の水はけがよくなる。台形状の板１１、１２及び矩形状の板１３、１４の材質には樹脂又は金属を使用する。
次に、線材２１で形成する水切りラック２について説明する。図１０、図１１に示す様に線材２１により直方体のスポンジ５の隣接する４面５１、５２、５３、５４を囲って、下面に四角の開口部を設けた前後左右に対称な水切りラック２を形成してもよい。線材の材質は樹脂又は金属を使用する。水切りラック２は図１０、図１１に示す様に吸盤２２により壁面に取り付ける。又、図示していないが水切りラック１も水切りラック２と同様に吸盤によりシンク（流し台）の壁面に取り付けてもよい。シンクの壁面に取り付けるとスポンジ５から出た水は直接シンク内に落ちて排水口に流れるので、シンク内以外の所を水で濡らすことがない。
【実施例２】
【０００９】
図１２、１３は水切りラック３の図である。図１２に示す様に大小２つの矩形状のリング３１、３２により下面に四角の開口部を設けた前後左右に対称な水切りラック３を形成し、この水切りラック３に吊り下げ部３３を取り付けている。上部のリング３１は下部のリング３２よりも大きい。上部のリング３１と下部のリング３２は平行であるが、水平ではなく手前又は、奥のどちらか一方に傾斜している。この水切りラック３に直方体のスポンジ５を収納すると、図１３に示す様に矩形状のリング３１、３２により直方体のスポンジ５の隣接する４面５１、５２、５３、５４を囲って直方体のスポンジ５の８角の内の一つの角Ａが最も下にくる様に収納される。最も下にくる角Ａとその周辺は水切りラック３の構成部材（矩形状のリング３１、３２、吊り下げ部３３）と一切接触しないので効率良く水がはけると共に直方体のスポンジ５の水切れがよくなり衛生的である。更に、角Ａと角Ｃを結ぶ対角線は水平線に対して７０度から１１０度、好ましくは８０度から１００度、最も好ましくは９０度であるので、直方体のスポンジ５は斜めに立った状態になる。よって、直方体のスポンジ５の水はけがよくなる。リング３１、３２と吊り下げ部３３を形成する線材の材質は樹脂又は金属を使用する。水切りラック３のスポンジ５の収納部がシンク（流し台）の上部に来るように水切りラック３を取り付けると、スポンジ５から出た水は直接シンク内に落ちて排水口に流れるので、シンク内以外の所を水で濡らすことがない。
【実施例３】
【００１０】
図１４、１５、１６は水切りラック４、８の図である。図１４、１５に示す様に水切りラック４、８はビルトインタイプ用のものである。ビルトインタイプとは、図１４、１５に示す様にシンク（流し台）６の一部を窪ませて、その窪み部分に水切りラック４、８を収納させたタイプである。
水切りラック４、８はシンク６の上面に設けた二つの凸部７に引っ掛けてシンク６の窪みの部分に設置する。水切りラック４の一端に直方体のスポンジ５を収納する線材で形成した傾斜面４１と開放部４２を設ける。更に水切りラック８には支持部４３を設ける。傾斜面４１と支持部４３は下方に延長すると約９０度に交差する。この傾斜面４１に添って直方体のスポンジ５を収納することで、図１６の示す様に直方体のスポンジ５の最短辺の４辺の一辺５１１が最も下に来るように直方体のスポンジ５が収納される。最も下にくる辺５１１とその周辺は水切りラック４、８の構成部材と一切接触しないので効率良く水がはけると共に、直方体のスポンジ５の水切れがよくなり衛生的である。更に、傾斜面４１の角度を４５度から７５度に設定すると、直方体のスポンジを水切りラック４、８に置くと、直方体の水切りラックの最も下にくる辺５１１とその対辺（最も上にくる辺）により形成する長方形が水平線に対して７０度から１１０度、好ましくは８０度から１００度、最も好ましくは９０度になるので、直方体のスポンジ５が斜めに立った状態になる。よって、直方体のスポンジ５の水はけが極めてよくなる。水切りラック４、８に使用する線材の材質は金属又は樹脂である。
【図面の簡単な説明】
【００１１】
【図１】水切りラック１の正面図である。
【図２】水切りラック１の背面図である。
【図３】水切りラック１の左側面図である。
【図４】水切りラック１の右側面図である。
【図５】水切りラック１の平面図である。
【図６】水切りラック１の底面図である。
【図７】水切りラック１の斜視図である。
【図８】スポンジ５の斜視図である。
【図９】水切りラック１にスポンジ５を置いた状態の斜視図である。
【図１０】水切りラック２の斜視図である。
【図１１】水切りラック２にスポンジ５を置いた状態の斜視図である。
【図１２】水切りラック３の斜視図である。
【図１３】水切りラック３にスポンジ５を置いた状態の斜視図である。
【図１４】水切りラック４の斜視図である。
【図１５】水切りラック８の斜視図である
【図１６】水切りラック８にスポンジ５を置いた状態の斜視図である。
【符号の説明】
【００１２】
１ 水切りラック
２ 水切りラック
３ 水切りラック
４ 水切りラック
５ 直方体スポンジ
８  水切りラック
４１  傾斜面
５１  隣接する面
５２  隣接する面
５３  隣接する面
５４  隣接する面
５１１  最も下に来る辺
Ａ  最も下に来る角
Ｃ  最も上に来る角
【図１】
2007289626.tif 000003
【図２】
2007289626.tif 000004
【図３】
2007289626.tif 000005
【図４】
2007289626.tif 000006
【図５】
2007289626.tif 000007
【図６】
2007289626.tif 000008
【図７】
2007289626.tif 000009
【図８】
2007289626.tif 000010
【図９】
2007289626.tif 000011
【図１０】
2007289626.tif 000012
【図１１】
2007289626.tif 000013
【図１２】
2007289626.tif 000014
【図１３】
2007289626.tif 000015
【図１４】
2007289626.tif 000016
【図１５】
2007289626.tif 000017
【図１６】
2007289626.tif 000018
【手続補正書】
【提出日】平成18年9月29日(2006.9.29)
【手続補正１】
【補正対象書類名】特許請求の範囲
【補正対象項目名】全文
【補正方法】変更
【補正の内容】
【特許請求の範囲】
【請求項１】
直方体のスポンジの少なくとも隣接する３面を囲い、直方体のスポンジの最短辺の４辺の内の一辺、又は８つの角の内の一つの角が最も下に来る様に斜めに立てた状態に支持して収納する前後左右に対称な水切りラックにおいて、下面に四角の開口部を設け、下面の開口部からは直方体のスポンジの最も下にくる辺又は角とその周辺が突出することで、最も下にくる辺又は角とその周辺が水切りラックの構成部材と一切接触しないことを特徴とする水切りラック。
【請求項２】
直方体のスポンジの少なくとも隣接する４面を囲ったことを特徴とする請求項１に記載の水切りラック。
【請求項３】
直方体のスポンジの最も下に来る角と、最も上に来る角を直線で結んだ対角線が水平面に対して７０度から１１０度であることを特徴とする請求項１又は請求項２に記載の水切りラック。
【請求項４】
直方体のスポンジの最も下に来る辺と、その対辺により形成する長方形が水平面に対して７０度から１１０度であることを特徴とする請求項１又は請求項２に記載の水切りラック。